(57)【要約】【課題】刃ヘッド部のフロート特性をスイッチにて容易に切替えることができるとともに、スイッチが邪魔にならず意匠性や握り勝手に悪影響を与えない電気かみそりを提供する。【解決手段】本体グリップ部Ｇの上端部に該本体グリップ部Ｇに対して上下動及び左右傾動自在となるように上方に向けてフロート支持される刃ヘッド部Ｈを設けた電気かみそりにおいて、本体グリップ部Ｇの左右方向の側面部に刃ヘッド部Ｈのフロート特性を切替えるスイッチ６７を設けた。【選択図】　　　　図１
2004016518.tif 000002
【特許請求の範囲】
【請求項１】
本体グリップ部の上端部に該本体グリップ部に対して上下動及び左右傾動自在となるように上方に向けてフロート支持される刃ヘッド部を設けた電気かみそりにおいて、本体グリップ部の左右方向の側面部に刃ヘッド部のフロート特性を切替えるスイッチを設けて成ることを特徴とする電気かみそり。
【請求項２】
操作量差により刃ヘッド部のフロート特性を切替えるスイッチを設けて成ることを特徴とする請求項１記載の電気かみそり。
【請求項３】
本体グリップ部と刃ヘッド部との間に該刃ヘッド部をフロート支持するフロート機構部を設けると共に一端部にスイッチが設けられるレバー軸を左右方向に配設し、刃ヘッド部又はフロート機構部の下面に当接支持する突出部をレバー軸に設けて成ることを特徴とする請求項１記載の電気かみそり。
【請求項４】
レバー軸の突出部を本体グリップ部の中央部の左右両側に各一箇所以上配設されるように形成して成ることを特徴とする請求項３記載の電気かみそり。
【請求項５】
本体グリップ部の上端部の前壁部及び後壁部にて刃ヘッド部を挟持して前後方向に保持すると共にレバー軸を保持して成ることを特徴とする請求項３記載の電気かみそり。
【請求項６】
刃ヘッド部のフロート特性のうちの刃ヘッド部の固定及びフロート量を切替える突出部と、刃ヘッド部のフロート特性のうちのフロート力特性を切替える突出部とをぞれぞれ別体として設けて成ることを特徴とする請求項２又は３のいずれかに記載の電気かみそり。
【請求項７】
レバー軸の突出部にて刃ヘッド部の本体グリップ部への固定を行い、刃ヘッド部の固定時に該刃ヘッド部に下向きの力が作用した時に突出部に伝わる力が固定を解除する方向と逆方向となるように形成して成ることを特徴とする請求項３記載の電気かみそり。
【請求項８】
刃ヘッド部の固定時にレバー軸の突出部の移動を規制する移動規制部を刃ヘッド部又はフロート機構部の下面に設けて成ることを特徴とする請求項３記載の電気かみそり。
【請求項９】
突出部にて固定又はフロート量の規制が行われている刃ヘッド部に下向きの力が加わった時に、突出部に該突出部の圧縮方向に力を作用させる壁部を刃ヘッド部又はフロート機構部に設けて成ることを特徴とする請求項３記載の電気かみそり。
【請求項１０】
フロート機構部に設けるフロートバネ部にレバー軸の突出部が当接し、レバー軸の回転に伴って突出部のフロートバネ部に当接する弾接部が移動するように形成して成ることを特徴とする請求項３記載の電気かみそり。
【請求項１１】
レバー軸にスイッチクリック用の突出部を形成すると共に、本体グリップ部に前記スイッチクリック用の突出部と係合するクリック部材を設けて成ることを特徴とする請求項３記載の電気かみそり。
【請求項１２】
本体グリップ部の上端部の前壁部及び後壁部にて刃ヘッド部を挟持して前後方向に保持すると共にクリック部材を保持して成ることを特徴とする請求項１１記載の電気かみそり。
【請求項１３】
クリック部材にスイッチの切替段階に応じてスイッチクリック用の突出部と係合する複数のクリック突起を設けて成ることを特徴とする請求項１１記載の電気かみそり。
【請求項１４】
複数のクリック突起をレバー軸の廻りを回るクリック用突出部の動線に沿って配置して成ることを特徴とする請求項１３記載の電気かみそり。
【請求項１５】
本体グリップ部と刃ヘッド部との間に配設されるリード線を覆うカバー部材の端部をクリック部材に係合して成ることを特徴とする請求項１１記載の電気かみそり。
【請求項１６】
レバー軸の一端部に本体グリップ部の左右側面部に配設されるスイッチを設け、該スイッチとレバー軸の回転中心とを同軸にして成ることを特徴とする請求項３記載の電気かみそり。
【請求項１７】
レバー軸に該レバー軸とは別体のスイッチを設けて成ることを特徴とする請求項３記載の電気かみそり。
【請求項１８】
スイッチをレバー軸との為す角が可変となるように設けて成ることを特徴とする請求項１７記載の電気かみそり。
【発明の詳細な説明】
【０００１】
【発明の属する技術分野】
本発明は、本体グリップ部の上端部に該本体グリップ部に対して上下動及び左右傾動自在となるように上方に向けてフロート支持される刃ヘッド部を設けた電気かみそりに関するものである。
【０００２】
【従来の技術】
従来より、本体グリップ部の上端部に該本体グリップ部に対して可動となるように上方に向けてフロート支持される刃ヘッド部を設けた電気かみそりがよく使用されており、例えば、特開平２００１−３３４０７８に開示されるものや、特開平７−１９４８５８に開示されるものや、特開２００２−１１２６５に開示されるもの等が挙げられる。
【０００３】
従来の電気かみそりにあっては、肌の凹凸に追従させるために刃ヘッド部を本体グリップ部に対して上下動及び左右傾動自在となるように設けるものがある。
【０００４】
しかしながら、このような従来の電気かみそりにあっては、刃ヘッド部のフロート特性（即ちフロート量やフロート力）を変更するスイッチを握り勝手を損ねないように且つ意匠性に悪影響を与えないように設けたものではなかった。
【０００５】
【発明が解決しようとする課題】
本発明はこのような点に鑑みてなされたものであり、その目的とするところは、刃ヘッド部のフロート特性をスイッチにて容易に切替えることができるとともに、スイッチが邪魔にならず意匠性や握り勝手に悪影響を与えない電気かみそりを提供することを課題とするものである。
【０００６】
【課題を解決するための手段】
上記課題を解決するために本発明に係る電気かみそりは、本体グリップ部Ｇの上端部に該本体グリップ部Ｇに対して上下動及び左右傾動自在となるように上方に向けてフロート支持される刃ヘッド部Ｈを設けた電気かみそりにおいて、本体グリップ部Ｇの左右方向の側面部に刃ヘッド部Ｈのフロート特性を切替えるスイッチ６７を設けて成ることを特徴とするものである。このような構成とすることで、刃ヘッド部Ｈのフロート特性のうちのフロート量の切替え（固定・解除の切替えも含む）と、フロート力の切替えとを一つのスイッチ６７の操作量差にて行うことができるものであり、更にスイッチ６７を本体グリップ部Ｇの左右方向の側面部に設けたことで意匠性や電気かみそりの握り勝手に悪影響を与えないものである。
【０００７】
また、操作量差により刃ヘッド部Ｈのフロート特性を切替えるスイッチ６７を設けることが好ましい。このような構成とすることで、刃ヘッド部Ｈのフロート特性のうちのフロート量の切替え（固定・解除の切替えも含む）と、フロート力の切替えとを一つのスイッチ６７の操作量差にて行うことができるものであり、更にスイッチ６７を本体グリップ部Ｇの左右方向の側面部に設けたことで意匠性や電気かみそりの握り勝手に悪影響を与えないものである。
【０００８】
また、本体グリップ部Ｇと刃ヘッド部Ｈとの間に該刃ヘッド部Ｈをフロート支持するフロート機構部６を設けると共に一端部にスイッチ６７が設けられるレバー軸６３を左右方向に配設し、刃ヘッド部Ｈ又はフロート機構部６の下面に当接支持する突出部をレバー軸６３に設けることが好ましい。このような構成とすることで、簡素な構造と小さな操作力で切替えを行うことができる。
【０００９】
また、レバー軸６３の突出部を本体グリップ部Ｇの中央部の左右両側に各一箇所以上配設されるように形成することが好ましい。このような構成とすることで、より安定して刃ヘッド部Ｈの支持が可能となるものである。
【００１０】
また、本体グリップ部Ｇの上端部の前壁部４３ａ及び後壁部４３ｂにて刃ヘッド部Ｈを挟持して前後方向に保持すると共にレバー軸６３を保持することが好ましい。このような構成とすることで、部品点数の削減や加工工数の削減が図られる。
【００１１】
また、刃ヘッド部Ｈのフロート特性のうちの刃ヘッド部Ｈの固定及びフロート量を切替える突出部６３ｂ，６３ｅと、刃ヘッド部Ｈのフロート特性のうちのフロート力特性を切替える突出部６３ａ，６３ｄとをぞれぞれ別体として設けることが好ましい。このような構成とすることで、突出部の設定の自由度が増して構造を簡素化することができる。
【００１２】
また、レバー軸６３の突出部６３ｂ，６３ｅにて刃ヘッド部Ｈの本体グリップ部Ｇへの固定を行い、刃ヘッド部Ｈの固定時に該刃ヘッド部Ｈに下向きの力が作用した時に突出部６３ｂ，６３ｅに伝わる力が固定を解除する方向と逆方向となるように形成することが好ましい。このような構成とすることで、誤って刃ヘッド部Ｈの固定が解除される危険性を低減することができる。
【００１３】
また、刃ヘッド部Ｈの固定時にレバー軸６３の突出部６３ｂ，６３ｅの移動を規制する移動規制部８２を刃ヘッド部Ｈ又はフロート機構部６の下面に設けることが好ましい。このような構成とすることで、誤って刃ヘッド部Ｈの固定が解除される危険性をより低減することができる。
【００１４】
また、突出部６３ｂ，６３ｅにて固定又はフロート量の規制が行われている刃ヘッド部Ｈに下向きの力が加わった時に、突出部６３ｂ，６３ｅに該突出部６３ｂ，６３ｅの圧縮方向に力を作用させる壁部８を刃ヘッド部Ｈ又はフロート機構部６に設けることが好ましい。このような構成とすることで、突出部６３ｂ，６３ｅに曲げ力が作用して折れたり突出部６３ｂ，６３ｅが回動して固定が解除されてしまったりする危険性が低減する。
【００１５】
また、フロート機構部６に設けるフロートバネ部６１にレバー軸６３の突出部が当接し、レバー軸６３の回転に伴って突出部のフロートバネ部６３に当接する弾接部が移動するように形成することが好ましい。このような構成とすることで、板バネ６１ｄの略転倒Ｕ字状をした屈曲部から弾接部までの距離が異なって、板バネ６１ｄの弾性力を変化させることができ、一つの部材で複数の弾性力を得ることが可能となる。
【００１６】
また、レバー軸６３にスイッチクリック用の突出部６３ｃを形成すると共に、本体グリップ部Ｈに前記スイッチクリック用の突出部６３ｃと係合するクリック部材６２を設けることが好ましい。このような構成とすることで、スイッチ６７の切替えの際にクリック感が得られる。
【００１７】
また、本体グリップ部Ｈの上端部の前壁部４３ａ及び後壁部４３ｂにて刃ヘッド部Ｈを挟持して前後方向に保持すると共にクリック部材６２を保持することが好ましい。このような構成とすることで、部品点数の削減や加工工数の削減が図られる。
【００１８】
また、クリック部材６２にスイッチ６７の切替段階に応じてスイッチクリック用の突出部６３ｃと係合する複数のクリック突起６２ａ，６２ｂを設けることが好ましい。このような構成とすることで、三通り以上の切替に対応することが可能となるものである。
【００１９】
また、複数のクリック突起６２ａ，６２ｂをレバー軸６３の廻りを回るクリック用の突出部６３ｃの動線に沿って配置することが好ましい。このような構成とすることで、省スペース化を図ることができる。
【００２０】
また、本体グリップ部Ｇと刃ヘッド部Ｈとの間に配設されるリード線３２を覆うカバー部材３３の端部をクリック部材６２に係合することが好ましい。このような構成とすることで、クリック部材６２にてゴムチューブ３３の端部の抜け止め行うことができる。
【００２１】
また、レバー軸６３の一端部に本体グリップ部Ｇの左右側面部に配設されるスイッチを設け、該スイッチとレバー軸６３の回転中心とを同軸にすることが好ましい。このような構成とすることで、レバー軸６３及びスイッチを一体に形成することが可能となる。
【００２２】
また、レバー軸６３に該レバー軸６３とは別体のスイッチを設けることが好ましい。このような構成とすることで、レバー軸６３の組立性が改善されると共に、ハウジング４に形成されたレバー軸６３を挿通する穴５５の目隠しをスイッチ自体で行うことができて意匠性を高めることができる。
【００２３】
また、スイッチをレバー軸６３との為す角が可変となるように設けることが好ましい。このような構成とすることで、レバー軸６３と垂直な面（即ち本実施形態では本体グリップ部Ｇの側面）上より突出した状態でスイッチを回動させることができて操作性が良くなるものであり、また、スイッチの飛び出し量の均一化や、操作性の向上が図られる。
【００２４】
【発明の実施の形態】
以下、本発明を添付図面に示す実施形態に基づいて説明する。まず、図１乃至図５に基づいて本発明の電気かみそり全体について説明する。
【００２５】
電気かみそりは、図１乃至図３に示すように、大きな部分として刃ヘッド部Ｈと、本体グリップ部Ｇと、トリマー部Ｔとで構成される。
【００２６】
剃刃を有する刃ヘッド部Ｈは、本体グリップ部Ｇの上端部に上下動・左右傾動自在となるように設けられ、トリマー部Ｔは、本体グリップ部Ｇの側面に上下スライド自在に設けられるもので、以下、各々について説明する。
【００２７】
刃ヘッド部Ｈは、図１に示すように、外刃１０を有する外刃ブロック１と、内刃２０及び駆動手段３を有するヘッドケース部２とで構成される。
【００２８】
外刃ブロック１は、図４に示すように、外殻となる保持部材１１で主体が構成される。保持部材１１は、上下に開口する左右方向に長い略角筒枠状をしたもので、上端側の開口に外刃１０が設けられ、下端側の開口はヘッドケース部２に取付けられる。外刃１０は、本実施形態では前から順にネット刃１０ａ１，スリット刃１０ｂ，ネット刃１０ａ２を配設して構成される。外刃（１０ａ１，１０ｂ，１０ａ２）は、それぞれ独立にフロート自在となるように保持部材１１にフロート支持される。この外刃ブロック１は、左右方向の側端部に形成される下方に凹となる係合凹部１１ａが後述するヘッドケース部２の上端部に係合して、ヘッドケース部２に対して着脱自在に取付けられる。
【００２９】
ヘッドケース部２は、図４に示すように、外殻をなすヘッドケース本体２ａ及びヘッドケースカバー２ｂと、このヘッドケース本体２ａとヘッドケースカバー２ｂとに挟持されるモータ基台２ｃとで主体が構成され、モータ基台２ｃにて駆動手段３を保持するものである。
【００３０】
ヘッドケース本体２ａは、上方に開口する略箱状をしたもので、底部には後述するリード線３２を導出するための筒穴（図示せず）及び、ヘッドケース下ネジ２ｄが挿通される下ネジ挿通孔（図示せず）が貫通して設けられる。このヘッドケース本体２ａ内部には、駆動手段３としてのリニアモータ３０が取付けられたモータ基台２ｃが収納される。モータ基台２ｃは、ヘッドケース本体２ａの下方より前記下ネジ挿通孔に挿通されたヘッドケース下ネジ２ｄをモータ基台２ｃの螺着孔（図示せず）に螺着することでヘッドケース本体２ａに固定される。リニアモータ３０は、後述するが、下端部よりリード線３２が延出されると共に、上端部には駆動子３１が上方に向けて突出している。
【００３１】
ヘッドケース本体２ａの上部開口には、ヘッドケースカバー２ｂが取付けられる。ヘッドケースカバー２ｂはヘッドケース本体２ａの上部開口を閉塞する略板状をしたもので、中央部にはリニアモータ３０の駆動子３１が挿通される開口部２ｂ１が形成される。ヘッドケースカバー２ｂの開口部２ｂ１には、挿通される駆動子３１との間の隙間を閉塞する駆動子防水ゴム２２が取付けられ、更にその上方から中央部に開口を有するゴム押さえ板２３が取付けられる。これらの取付けは、ヘッドケース上ネジ２ｅをゴム押さえ板２３及びヘッドケースカバー２ｂに形成される上ネジ挿通孔２ｆ，２ｆに挿通してモータ基台２ｃに設られる上ネジ固着孔２ｇに螺着することで、モータ基台２ｃを介してヘッドケース本体２ａに固定される。これにより、ヘッドケース部２はリニアモータ３０を内蔵した一つの箱体として構成される。
【００３２】
リニアモータ３０の下端部からは、リード線３２が延出されており、ヘッドケース本体２ａの底部に形成される筒穴（図示せず）より下方へ延出されて後述する本体グリップ部Ｇの駆動回路（図示せず）に接続してある。ヘッドケース本体２ａの底部の前記筒穴には、下方へ向けてリード線３２を覆うカバー部材としての略円筒側面状をしたゴムチューブ３３が取付けてある。
【００３３】
リニアモータ３０の上端部には、左右方向に往復駆動する駆動子３１が前後に二個設けてあり、この駆動子３１はゴム押さえ板２３及びヘッドケースカバー２ｂの開口部を介してヘッドケース部２の上方外部に露出している。この駆動子３１からは、中央部に上方に向けて軸３１ａが突設してあり、この軸３１ａをコイル状をした内刃押上バネ２１ａに挿通すると共に上端部にバネストッパー２１ｂを取付ける。そして、駆動子３１の軸部３１ａの左右には係止片３１ｂが突出してあり、内刃２０がこの係止片３１ｂに取付けられて内刃２０が上方に付勢された状態で駆動子３１に結合している。これにより、リード線３２がヘッドケースカバー２ｂに対して上下動自在にフロート支持され、内刃２０がヘッドケース本体２ａに対して上下動にフロート支持される。また、前後の駆動子３１には、それぞれスリット駆動桿３４とトリマ駆動桿３５が取付けられる。このスリット駆動桿３４とトリマ駆動桿３５は、駆動子３１の左右方向の往復運動に連動して左右方向に往復運動するもので、スリット駆動桿３４は前後方向中央のネット刃を駆動するものである。なお、本実施形態では、外刃１の中央のスリット刃１０ｂに対応する内刃は、外刃ブロック１に前記スリット刃１０ｂに左右方向に往復運動自在に設けてあり、スリット駆動桿３４が前記スリット刃１０ｂに対応する内刃に取付けられる。このようにして、外刃１０と内刃２０とが互いに摺動することで、外刃１０の開口としての刃穴に入った髭をカットするものである。なお、トリマ駆動桿３５については後述する。
【００３４】
また、ヘッドケース本体２ａの長手方向の両端面には、着脱釦バネ２６ａによって外側に付勢された状態で着脱釦２６が配設され、上述したように外刃ブロック１が着脱釦２６によって着脱自在に取付けられる。
【００３５】
また、ヘッドケース本体２ａには、ヘッド止め部材２７が配設される。ヘッド止め部材２７には、前側に上方に突出する突片２７ａを突設すると共に、後側に下方に突出する突起部２７ｂを突設してあり、前記突片２７ａにて後述する前ハウジング４ａの前面壁を押えると共に突起部２７ｂが後ハウジング４ｂの後面壁に当接して刃ヘッド部Ｈのヘッドケース部２に対する前後方向の動きが保持される。
【００３６】
次に、本体グリップ部Ｇについて説明する。ハウジング４は、図３に示すように、前ハウジング４ａと後ハウジング４ｂとで主体が構成され、これらをリング部材４ｄを介して結合して一つの防水可能な箱体を形成してある。前ハウジング４ａと後ハウジング４ｂとの取付けは、後ハウジング４ｂに形成した挿通孔（図示せず）の後方よりハウジング固定ネジ４１ａを挿通して前ハウジング４ａの固着孔（図示せず）に螺着することで行う。更に、ハウジング固定ネジ４１ａが露出する部分においては、ハウジング固定ネジ４１ａ及び前記挿通孔を覆い隠すネジ孔フタ４１ｂを取付けてもよい。また、前ハウジング４ａ及び後ハウジング４ｂは上壁部を延出して前壁部４３ａ及び後壁部４３ｂを形成し、この間を刃ヘッド部Ｈを保持するヘッド保持部４２としてある。
【００３７】
ハウジング４内（即ち前ハウジング４ａと後ハウジング４ｂによって形成される防水可能な空間）には、電池基台４ｃが配設されてこの電池基台４ｃに電池４６が配設されると共に、駆動回路（図示せず）が設けられる。
【００３８】
前ハウジング４ａの前面には前面パネル５ａがフック（特に図示せず）にて取付けられる。前面パネル５ａには開口が形成してあり、この開口から外部に露出するように電源スイッチ５２が前面パネル５ａと前ハウジング４ａとの間に配設される。そして、この前面パネル５ａの前面には、エラストマ５３が設けられる。
【００３９】
後ハウジング４ｂの後面には、ネジ５６にて後面パネル５ｂが取付けられると共に、トリマー部Ｔがフックにて結合される。トリマー部Ｔは、上下方向にスライド自在となるように取付けてあり、上にスライドした状態で上述したトリマー駆動桿３５がトリマー部Ｔに設けたトリマー駆動子７２に連結され、トリマー刃７１が左右方向に往復駆動されるものである。
【００４０】
次に、刃ヘッド部Ｈの支持部材２８について説明する。支持部材２８は、略コ字状に形成されており、その両先端部には穴２８ａが設けてある。また、ヘッドケース部２のヘッドケース本体２ａの前後面の左右両側にはそれぞれ突起部２４が形成してあり、前記支持部材２８の穴２８ａをそれぞれ被嵌して支持部材２８が左右に回動自在となるように配設される。また、前ハウジング４ａ及び後ハウジング４ｂの前壁部４３ａ及び後壁部４３ｂには、支持部材２８に対応する位置にそれぞれガイド溝４４ａ，４４ｂが形成してあり、略コ字状をした支持部材２８の両側片がそれぞれガイド溝４４ａ，４４ｂ内を上下動可能に嵌入してある。また、一方の支持部材２８の穴２８ａは被嵌する突起部２４に遊嵌してあるため、これによって刃ヘッド部Ｈは本体グリップ部Ｇに対して上下動自在及び左右傾動自在に設けられることになる。図５に、刃ヘッド部Ｈの本体グリップ部Ｇに対する動作を説明するための要部の正面図を示す。図５（ａ）は刃ヘッド部Ｈが本体グリップ部Ｇから最も上方にフロートしている状態を示し、図５（ｂ）は図５（ａ）の状態から刃ヘッド部Ｈの右側を下方へ押下げて刃ヘッド部Ｈを右に傾動させた状態を示し、図５（ｃ）は図５（ａ）の状態から刃ヘッド部Ｈを左右略均等に押下げた状態を示す。このように、支持部材２８を刃ヘッド部Ｈの左右にそれぞれ設けてあることで、刃ヘッド部Ｈの外刃１０が肌面と異なる角度で押し当てられると、刃ヘッド部Ｈを押し下げようとする力が発生するが、この時、刃ヘッド部Ｈは力を加わっていない側の支持部材２８が回転の支点となって力が加わった側の支持部材２８が押し下げられるため、移動する支持部材２８と支点となる支持部材２８との距離が大きくなってヘッドを回動させる力が大きくなる。このため、刃ヘッド部Ｈが軽い力で回動して肌に沿うことになって、肌と刃ヘッド部Ｈとが密着して剃り残しを無くすことができる。
【００４１】
次に、刃ヘッド部Ｈをフロート支持するフロート機構部６について説明する。
【００４２】
フロート機構部６は左右のフロートバネ部６１からなり、フロート機構部６に隣接してクリック部材６２が配設されると共にレバー軸６３が配設される。
【００４３】
フロートバネ部６１は、図６に示すように、上バネ受け部材６１ａ及び下バネ受け部材６１ｂと、コイルバネ６１ｃ及び板バネ６１ｄとで構成される。上バネ受け部材６１ａ及び下バネ受け部材６１ｂは、図６に示すように板状をした部材であり、それぞれ互いの方向を向くように突起６５ａ，６５ｂが突設してあってコイルバネ６１ｃの上端部と下端部とがこの突起６５ａに被嵌される。また、上バネ受け部材６１ａ及び下バネ受け部材６１ｂとの間には、側面視において略横向きＵ字状をした板バネ６１ｄが配設される。この板バネ６１ｄは、上側の片が上バネ受け部材６１ａに溶着等にて固定される。また、下バネ受け部材６１ｂの突起６５ｂの両側には、係止片６６ｂが突設してあると共に上バネ受け部材６１ａに係止孔（図示せず）が形成してあり、下バネ受け部材６１ｂの係止片６６ｂを上バネ受け部材６１ａの係止孔に係止してあり、これによってフロートバネ部６１が構成される。また、上バネ受け部材６１ａのコイルバネ６１ｃ及び板バネ６１ｄが設けられる部分の側方には、下方に向けてカム状をした壁部８が形成されるもので、これについては後で詳述する。
【００４４】
このフロートバネ部６１は、上バネ受け部材６１ａの上面を刃ヘッド部Ｈに回動自在に設けた支持部材２８の下面に当接させ、下バネ受け部材６１ｂの下面を本体グリップ部Ｇのハウジング４の上端部のヘッド保持部４２の上方を向く面に載置した状態で配設し、このフロートバネ部６１によって支持部材２８を介して刃ヘッド部Ｈを上方に付勢するものである。
【００４５】
レバー軸６３は、本体グリップ部Ｇのハウジング４（４ａ，４ｂ）の図４に示すヘッド保持部４２に配設されるもので、一端部が後ハウジング４ｂの側面に扇型状に凹設した平面部５４の穴５５を介して外部へ露出する。そして、このレバー軸６３の一端部にスイッチとして長楕円状をしたスイッチ操作子６７を取付けてある。（図７参照）これにより、スイッチ操作子６７を回動させてレバー軸６３を回動させることができる。スイッチ操作子６７は、このように別体のレバー軸６３に後から取付けることで、組立性を良好にすることができるものであり、また、スイッチ操作子６７自体が穴５５の目隠しとなって意匠の向上を図ることが可能となる。
【００４６】
また、図８に示すように、レバー軸６３とスイッチ操作子６７とを一体に形成してもよい。このものにおいては、後ハウジング４ｂを切欠いてレバー軸６３を挿入するもので、これによってレバー軸６３の組立性が向上するものである。
【００４７】
レバー軸６３には突出部６３ａ，６３ｂ，６３ｃ，６３ｄ，６３ｅが順に形成される。突出部６２ａと突出部６３ｄは、それぞれ左右のフロートバネ部６１の略転倒Ｕ字状をした板バネ６１ｄの下片の下面に当接し、突出部６２ｂと突出部６２ｅは、それぞれ左右のフロートバネ部６１の上バネ受け部材６１ａの壁部８の下面に当接する。そして、突出部６３ｃは、後述するクリック部材６２に係合してレバー軸６３の回動状態を保持するものである。このレバー軸６３は、ハウジング４を組み立てる際にクリック部材６２と後ハウジング４ｂにて挟み込む状態で配設される。
【００４８】
次に、レバー軸６３によるフロート特性の切替えについて説明する。
【００４９】
レバー軸６３は、上述したように、その一端部に取付けられて本体グリップ部Ｇの左右方向の側面部に配設されるスイッチとしてのスイッチ操作子６７を回動して行われる。レバー軸６３のフロート特性の切替えには三通りあり、図９（ａ）乃至（ｃ）に示すようにスイッチ操作子６７の回動位置によって切替えられ、それぞれの場合以下に説明する。
【００５０】
スイッチ操作子６７が図９（ａ）の状態にある場合について説明する。図１０（ａ）に、刃ヘッド部Ｈが上方にフロートしていて下方に押し下げれられていない状態を示し、図１０（ｂ）に、刃ヘッド部Ｈが下方に押し下げられている状態を示す。なお、レバー軸６３の突出部６３ａと突出部６３ｄとはそれぞれ左右のフロートバネ部６１の板バネ６１ｄに対応し、突出部６３ｂと突出部６３ｅとはそれぞれ左右のフロートバネ部６１の上バネ受け部材６１ａの壁部８に対応するが、これらは同様に対応するため以下の説明では片側の突出部６３ａ，６３ｂ及びフロートバネ部６１についてのみ説明を行うものとする。
【００５１】
図１０（ａ）に示すように刃ヘッド部Ｈが上方にフロートしていて下方に押し下げれられていない状態において、突出部６３ａがフロートバネ部６１の板バネ６１ｄの下片の下面より下方に位置する。そして、刃ヘッド部Ｈが下方に押し下げられると図１０（ｂ）に示すように板バネ６１ｄの下片の下面が突出部６３ａに当接し、板バネ６１ｄによる弾性力が刃ヘッド部Ｈに作用することになる。すなわち、刃ヘッド部Ｈが上方にフロートしている状態から板バネ６１ｄの下片の下面に突出部６３ａが当接する状態となるまでは、刃ヘッド部Ｈにはコイルバネ６１ｃによる弾性力のみが刃ヘッド部Ｈに作用し、刃ヘッド部Ｈがそれ以上押下げられるとコイルバネ６１ｃと板バネ６１ｄの両方の弾性力が刃ヘッド部Ｈ側に作用することになり、フロート特性のフロート力特性が途中で変化することになる。これにより、使用者に刃ヘッド部Ｈの押圧状況を認識させることができる。また、刃ヘッド部Ｈが最も下方に押し下げられた状態（即ち刃ヘッド部Ｈに設けてある支持部材２８がハウジング４のガイド溝４４ｂの下端部に位置する状態）でも、突出部６３ｂはフロートバネ部６１には当接しないものである。
【００５２】
次に、スイッチ操作子６７が図９（ｂ）の状態にある場合について説明する。図１１（ａ）に、刃ヘッド部Ｈが上方にフロートしていて下方に押し下げれられていない状態を示し、図１１（ｂ）に、刃ヘッド部Ｈが下方に押し下げられている状態を示す。図１１（ａ）に示すように刃ヘッド部Ｈが上方にフロートしていて下方に押し下げれられていない状態において、突出部６３ａがフロートバネ部６１の板バネ６１ｄの下片の下面に当接し、突出部６３ｂが上バネ受け部材６１ａの壁部８の下方に位置する。そして、刃ヘッド部Ｈが下方に押し下げられると図１１（ｂ）に示すように、壁部８の下面が突出部６３ｂに当接してそれ以上刃ヘッド部Ｈが押し下げられるのを阻止するものである。すなわちこの場合には、刃ヘッド部Ｈが上方にフロートしている状態から壁部８の下面に突出部６３ｂが当接してそれ以上の押し下げが規制されるまで、刃ヘッド部Ｈにはコイルバネ６１ｃと板バネ６１ｄの両方の弾性力が刃ヘッド部Ｈに作用することになり、押し下げ力を大きく設定することができる。また、図１１（ｂ）のように壁部８の下面に突出部６３ｂが当接した状態において、それ以上刃ヘッド部Ｈに下方への押し下げ力が加わっても突出部６３ｂが回動しないように規制部８１を壁部８に突設して形成してある。これにより、レバー軸６３の回動状態が保持される。
【００５３】
次に、スイッチ操作子６７が図９（ｃ）の状態にある場合について説明する。図１２（ａ）に、刃ヘッド部Ｈが上方にフロートした状態の側面図を示し、図１２（ｂ）に同斜視図を示す。図１２（ａ）に示すように刃ヘッド部Ｈが上方にフロートした状態において、突出部６３ａはフロートバネ部６１の板バネ６１ｄの下片の下面の下方に位置し、突出部６３ｂが上バネ受け部材６１ａの壁部８に当接してそれ以上刃ヘッド部Ｈが押し下げられるのを阻止するものである。また、この状態において、それ以上刃ヘッド部Ｈに下方への押し下げ力が加わっても突出部６３ｂが回動しないように移動規制部８２を壁部８に突設して形成してある。これにより、レバー軸６３の固定状態が保持される。
【００５４】
また、図１２（ａ）にも示されるように、刃ヘッド部Ｈの固定状態において、突出部６３ｂは上方より若干右に傾いた状態で保持されるようにしてある。これにより、刃ヘッド部Ｈの固定状態において刃ヘッド部Ｈに下方への押し下げ力が作用しても、突出部６３ｂはより右に傾く（即ち図１２（ａ）において時計回りとなるように傾く）力が作用し、これは即ち刃ヘッド部Ｈの固定が解除される状態（図１１（ａ）等参照）になるのと反対方向に力が作用するので、誤って刃ヘッド部Ｈの固定が解除される危険性を低減することができる。
【００５５】
また、レバー軸６３の突出部６３ｃと係合するようにクリック部材６２が設けてある。レバー軸６３は、スイッチ操作子６７が図９（ａ）乃至（ｃ）に示す位置となる三通りの回動状態が設定されるのであるが、この状態を保持するために、クリック部材６２にはクリック突起６２ａ，６２ｂが形成してある（図１２（ｂ）参照）。一方、レバー軸６３の突出部６３ｃの先端は球状に形成してあり、クリック突起６２ａ，６２ｂはそれぞれ前記突出部６３ｃの球状に形成した部分の径よりも短い距離だけ離れて対向する略円筒状の突起として形成してある。これにより、スイッチ操作子６７を図９（ａ）の状態から図９（ｂ）の状態へ、図９（ｂ）の状態から図９（ｃ）の状態へと切替えたりまたこの逆に切替えたりする時に、突出部６３ｃの先端部がクリック突起６２ａ，６２ｂを乗り越えることとなり、各状態がクリック突起６２ａ又は６２ｂによって保持されるとともに切替えの際にクリック感が得られる。
【００５６】
以上のように、本体グリップ部の左右方向の側面部に操作量差により刃ヘッド部のフロート特性を切替えるスイッチを設けたことで、刃ヘッド部Ｈのフロート特性のうちのフロート量の切替え（固定・解除の切替えも含む）と、フロート力の切替えとを一つのスイッチ６７の操作量差にて行うことができるものであり、更にスイッチ６７を本体グリップ部Ｇの左右方向の側面部に設けたことで意匠性や電気かみそりの握り勝手に悪影響を与えないものである。
【００５７】
また、本体グリップ部Ｇと刃ヘッド部Ｈとの間に該刃ヘッド部Ｈをフロート支持するフロート機構部６を設けると共にスイッチ６７が一端部に設けられるレバー軸６３を左右方向に配設し、刃ヘッド部Ｈ又はフロート機構部６（本実施形態ではフロート機構部６のフロートバネ部６１）の下面に当接支持する突出部（６３ａ〜ｅ）をレバー軸６３に設けたことで、簡素な構造と小さな操作力で切替えを行うことができ、また、レバー軸６３の突出部６３ａ，６３ｂと、突出部６３ｄ，６３ｅとを本体グリップ部Ｇの中央部の左右両側に各一箇所以上配設したことで、より安定して刃ヘッド部Ｈの支持が可能となるものである。
【００５８】
また、本体グリップ部Ｇの上端部の前壁部４３ａ及び後壁部４３ｂにて刃ヘッド部Ｈを挟持して前後方向に保持すると共にレバー軸６３を保持したり、本体グリップ部Ｇの上端部の前壁部４３ａ及び後壁部４３ｂにて刃ヘッド部Ｈを挟持して前後方向に保持すると共にクリック部材６２を保持したことで、部品点数の削減や加工工数の削減が図られ、また、本体グリップ部Ｇと刃ヘッド部Ｈとの間に配設されるリード線３２を覆うカバー部材としてのゴムチューブ３３の端部をクリック部材６２に係合したことで、クリック部材６２にてゴムチューブ３３の端部の抜け止め行うことができる。
【００５９】
また、刃ヘッド部Ｈのフロート特性のうちの刃ヘッド部Ｈの固定及びフロート量を切替える突出部６３ｂ，６３ｅと、刃ヘッド部Ｈのフロート特性のうちのフロート力特性を切替える突出部６３ａ，６３ｄとをぞれぞれ別体として設けたので、突出部の設定の自由度が増して構造を簡素化することができる。
【００６０】
また、レバー軸６３の突出部６３ｂ，６３ｅにて刃ヘッド部Ｈの本体グリップ部Ｇへの固定を行い、刃ヘッド部Ｈの固定時に該刃ヘッド部Ｈに下向きの力が作用した時に突出部６３ｂ，６３ｅに伝わる力が固定を解除する方向と逆方向となるように形成したことで、誤って刃ヘッド部Ｈの固定が解除される危険性を低減することができ、更に、刃ヘッド部Ｈの固定時にレバー軸６３の突出部６３ｂ，６３ｅの移動を規制する移動規制部８２を刃ヘッド部Ｈ又はフロート機構部６の下面に設けたことで、誤って刃ヘッド部Ｈの固定が解除される危険性をより低減することができる。
【００６１】
また、突出部６３ｂ，６３ｅに該突出部６３ｂ，６３ｅの圧縮方向に力を作用させる壁部８を刃ヘッド部Ｈ又はフロート機構部６に設けたことで、突出部６３ｂ，６３ｅに曲げ力が作用して折れたり突出部６３ｂ，６３ｅが回動して固定が解除されてしまったりする危険性が低減し、また、フロート機構部６に設けるフロートバネ部６１にレバー軸６３の突出部６３ａ，６３ｄが当接し、レバー軸６３の回転に伴って突出部６３ａ，６３ｄのフロートバネ部６１に当接する弾接部が移動するように形成したことで、板バネ６１ｄの略転倒Ｕ字状をした屈曲部から弾接部までの距離が異なって、板バネ６１ｄの弾性力を変化させることができ、一つの部材で複数の弾性力を得ることが可能となる。
【００６２】
また、レバー軸６３にスイッチクリック用の突出部６３ｃを形成すると共に、本体グリップ部Ｇに前記スイッチクリック用の突出部６３ｃと係合するクリック部材６２を設けることが好ましい。このような構成とすることで、スイッチ６７の切替えの際にクリック感が得られ、更に、スイッチ６７の切替段階に応じてスイッチクリック用の突出部６３ｃと係合する複数のクリック突起６２ａ，６２ｂを設けたので、三通り以上の切替に対応することが可能となるものである。
【００６３】
また、複数のクリック突起６２ａ，６２ｂをレバー軸６３の廻りを回るクリック用の突出部６３ｃの動線に沿って配置することが好ましい。このような構成とすることで、省スペース化を図ることができる。
【００６４】
また、レバー軸６３の一端部に本体グリップ部Ｇの左右側面部に配設されるスイッチ操作子６７を設け、該スイッチ操作子６７とレバー軸６３の回転中心とを同軸にしたことで、レバー軸６３及びスイッチ操作子６７を一体に形成することが可能となり、更に、レバー軸６３に該レバー軸６３とは別体のスイッチ操作子６７を設けたことで、レバー軸６３の組立性が改善されると共に、ハウジング４に形成されたレバー軸６３を挿通する穴５５の目隠しをスイッチ操作子６７自体で行うことができて意匠性を高めることができ、また更に、スイッチ操作子６７をレバー軸６３との為す角が可変となるように設けたことで、レバー軸６３と垂直な面（即ち本実施形態では本体グリップ部Ｇの側面）上より突出した状態でスイッチ操作子６７を回動させることができて操作性が良くなるものであり、また、スイッチ操作子６７の飛び出し量の均一化や、操作性の向上が図られる。
【００６５】
【発明の効果】
上記のように本発明の請求項１記載の発明にあっては、本体グリップ部の上端部に該本体グリップ部に対して上下動及び左右傾動自在となるように上方に向けてフロート支持される刃ヘッド部を設けた電気かみそりにおいて、本体グリップ部の左右方向の側面部に刃ヘッド部のフロート特性を切替えるスイッチを設けたので、刃ヘッド部のフロート特性のうちのフロート量の切替え（固定・解除の切替えも含む）と、フロート力の切替えとを一つのスイッチにて行うことができるものであり、更にスイッチを本体グリップ部の左右方向の側面部に設けたことで意匠性や電気かみそりの握り勝手に悪影響を与えないものである。
【００６６】
また請求項２記載の発明にあっては、上記請求項１記載の発明の効果に加えて、操作量差により刃ヘッド部のフロート特性を切替えるスイッチを設けたので、フロート特性の切替え（固定・解除の切替えも含む）を一つのスイッチの操作量差にて行うことができるものである。
【００６７】
また請求項３記載の発明にあっては、上記請求項１記載の発明の効果に加えて、本体グリップ部と刃ヘッド部との間に該刃ヘッド部をフロート支持するフロート機構部を設けると共に一端部にスイッチが設けられるレバー軸を左右方向に配設し、刃ヘッド部又はフロート機構部の下面に当接支持する突出部をレバー軸に設けたので、簡素な構造と小さな操作力で切替えを行うことができる。
【００６８】
また請求項４記載の発明にあっては、上記請求項３記載の発明の効果に加えて、レバー軸の突出部を本体グリップ部の中央部の左右両側に各一箇所以上配設されるように形成したので、より安定して刃ヘッド部の支持が可能となるものである。
【００６９】
また請求項５記載の発明にあっては、上記請求項３記載の発明の効果に加えて、本体グリップ部の上端部の前壁部及び後壁部にて刃ヘッド部を挟持して前後方向に保持すると共にレバー軸を保持したので、部品点数の削減や加工工数の削減が図られる。
【００７０】
また請求項６記載の発明にあっては、上記請求項２又は３記載の発明の効果に加えて、刃ヘッド部のフロート特性のうちの刃ヘッド部の固定及びフロート量を切替える突出部と、刃ヘッド部のフロート特性のうちのフロート力特性を切替える突出部とをぞれぞれ別体として設けたので、突出部の設定の自由度が増して構造を簡素化することができる。
【００７１】
また請求項７記載の発明にあっては、上記請求項３記載の発明の効果に加えて、レバー軸の突出部にて刃ヘッド部の本体グリップ部への固定を行い、刃ヘッド部の固定時に該刃ヘッド部に下向きの力が作用した時に突出部に伝わる力が固定を解除する方向と逆方向となるように形成したので、誤って刃ヘッド部の固定が解除される危険性を低減することができる。
【００７２】
また請求項８記載の発明にあっては、上記請求項３記載の発明の効果に加えて、刃ヘッド部の固定時にレバー軸の突出部の移動を規制する移動規制部を刃ヘッド部又はフロート機構部の下面に設けたので、誤って刃ヘッド部の固定が解除される危険性をより低減することができる。
【００７３】
また請求項９記載の発明にあっては、上記請求項３記載の発明の効果に加えて、突出部にて固定又はフロート量の規制が行われている刃ヘッド部に下向きの力が加わった時に、突出部に該突出部の圧縮方向に力を作用させる壁部を刃ヘッド部又はフロート機構部に設けたので、突出部に曲げ力が作用して折れたり突出部が回動して固定が解除されてしまったりする危険性が低減する。
【００７４】
また請求項１０記載の発明にあっては、上記請求項３記載の発明の効果に加えて、フロート機構部に設けるフロートバネ部にレバー軸の突出部が当接し、レバー軸の回転に伴って突出部のフロートバネ部に当接する弾接部が移動するように形成したので、板バネの略転倒Ｕ字状をした屈曲部から弾接部までの距離が異なって、板バネの弾性力を変化させることができ、一つの部材で複数の弾性力を得ることが可能となる。
【００７５】
また請求項１１記載の発明にあっては、上記請求項３記載の発明の効果に加えて、レバー軸にスイッチクリック用突出部を形成すると共に、本体グリップ部に前記スイッチクリック用突出部と係合するクリック部材を設けたので、スイッチの切替えの際にクリック感が得られる。
【００７６】
また請求項１２記載の発明にあっては、上記請求項１１記載の発明の効果に加えて、本体グリップ部の上端部の前壁部及び後壁部にて刃ヘッド部を挟持して前後方向に保持すると共にクリック部材を保持したので、部品点数の削減や加工工数の削減が図られる。
【００７７】
また請求項１３記載の発明にあっては、上記請求項１１記載の発明の効果に加えて、クリック部材にスイッチの切替段階に応じてスイッチクリック用突出部と係合する複数のクリック突起を設けたので、三通り以上の切替に対応することが可能となるものである。
【００７８】
また請求項１４記載の発明にあっては、上記請求項１３記載の発明の効果に加えて、複数のクリック突起をレバー軸の廻りを回るクリック用突出部の動線に沿って配置したので、省スペース化を図ることができる。
【００７９】
また請求項１５記載の発明にあっては、上記請求項１１記載の発明の効果に加えて、本体グリップ部と刃ヘッド部との間に配設されるリード線を覆うカバー部材の端部をクリック部材に係合したので、クリック部材にてゴムチューブの端部の抜け止め行うことができる。
【００８０】
また請求項１６記載の発明にあっては、上記請求項３記載の発明の効果に加えて、レバー軸の一端部に本体グリップ部の左右側面部に配設されるスイッチを設け、該スイッチとレバー軸の回転中心とを同軸にしたので、レバー軸及びスイッチを一体に形成することが可能となる。
【００８１】
また請求項１７記載の発明にあっては、上記請求項３記載の発明の効果に加えて、レバー軸に該レバー軸とは別体のスイッチを設けたので、レバー軸の組立性が改善されると共に、ハウジングに形成されたレバー軸を挿通する穴の目隠しをスイッチ自体で行うことができて意匠性を高めることができる。
【００８２】
また請求項１８記載の発明にあっては、上記請求項１７記載の発明の効果に加えて、スイッチをレバー軸との為す角が可変となるように設けたので、レバー軸と垂直な面より突出した状態でスイッチを回動させることができて操作性が良くなるものであり、また、スイッチの飛び出し量の均一化や、操作性の向上が図られる。
【図面の簡単な説明】
【図１】本発明の一実施形態の電気かみそりの分解斜視図である。
【図２】同上の正面図である。
【図３】同上の分解斜視図である。
【図４】同上の電気かみそりの刃ヘッド部の分解斜視図である。
【図５】同上の前面パネルを取外した状態を示し、（ａ）はフロート状態の正面図であり、（ｂ）は傾動した状態の正面図であり、（ｃ）は刃ヘッド部を押し下げた状態の正面図である。
【図６】同上のフロートバネ部の分解斜視図である。
【図７】同上の刃ヘッド部の支持部材を取付けた部分及びフロート機構部近傍の斜視図である。
【図８】同上の刃ヘッド部の支持部材を取付けた部分及びフロート機構部近傍の別角度から見た斜視図である。
【図９】（ａ）（ｂ）（ｃ）はスイッチ操作子の回動位置によるフロート特性切替えを説明する説明図である。
【図１０】同上のフロート量が大きい状態の説明図であり、（ａ）は刃ヘッド部のフロート状態を示す側面図であり、（ｂ）は刃ヘッド部が押し下げられた状態を示す側面図である。
【図１１】同上のフロート量がストロークの略半分の状態の説明図であり、（ａ）は刃ヘッド部のフロート状態を示す側面図であり、（ｂ）は刃ヘッド部が押し下げられた状態を示す側面図であり、（ｃ）は（ｂ）の斜視図である。
【図１２】同上の刃ヘッド部を本体グリップ部に対して固定した状態の説明図であり、（ａ）は側面図であり、（ｂ）は斜視図である。
【符号の説明】
１　外刃ブロック
１０　外刃
２　ヘッドケース部
２０　内刃
６７　スイッチ
Ｇ　本体グリップ部
Ｈ　刃ヘッド部
【図１】
2004016518.tif 000003
【図２】
2004016518.tif 000004
【図３】
2004016518.tif 000005
【図４】
2004016518.tif 000006
【図５】
2004016518.tif 000007
【図６】
2004016518.tif 000008
【図７】
2004016518.tif 000009
【図８】
2004016518.tif 000010
【図９】
2004016518.tif 000011
【図１０】
2004016518.tif 000012
【図１１】
2004016518.tif 000013
【図１２】
2004016518.tif 000014